【手続補正書】
【提出日】平成25年5月21日(2013.5.21)
【手続補正１】
【補正対象書類名】特許請求の範囲
【補正対象項目名】全文
【補正方法】変更
【補正の内容】
【特許請求の範囲】
【請求項１】
端末装置であって、
受信品質に関する情報を、周期的に報告する第１のフィードバックモードと、非周期的に報告する第２のフィードバックモードとにより、基地局装置へ報告することが可能であり、
前記第１のフィードバックモードおよび前記第２のフィードバックモードの各々において、前記受信品質に関する情報として、好適なランクを指定するランク指標と、好適なプレコーダを指定する第１の部分プレコーダ情報および第２の部分プレコーダ情報と、好適な伝送レートを指定する受信品質指標と、を生成するための生成部と、
前記基地局装置と通信を行うための通信部とを備え、
前記好適なプレコーダは、前記第１の部分プレコーダ情報と前記第２の部分プレコーダ情報との組み合わせによって指定され、
前記通信部は、
前記第１のフィードバックモードにおいて、
前記第２の部分プレコーダ情報と前記受信品質指標とを第１のサブフレームで報告するとともに、前記ランク指標と前記第１の部分プレコーダ情報とを前記第１のサブフレームとは異なる第２のサブフレームで報告し、
前記第２のフィードバックモードにおいて、
前記ランク指標と前記第１の部分プレコーダ情報と前記第２の部分プレコーダ情報と前記受信品質指標とを同じサブフレームで報告する、端末装置。
【請求項２】
前記通信部は、前記第１のフィードバックモードと前記第２のフィードバックモードとの間で、前記受信品質指標の符号化処理の単位を切り替える、請求項１に記載の端末装置。
【請求項３】
前記通信部は、前記第１のフィードバックモードにおいて、前記第２の部分プレコーダ情報と前記受信品質指標とをまとめて符号化し、前記ランク指標と前記第１の部分プレコーダ情報とをまとめて符号化する、請求項１または２に記載の端末装置。
【請求項４】
前記通信部は、前記第２のフィードバックモードにおいて、前記第２の部分プレコーダ情報と前記受信品質指標とをまとめて符号化し、前記ランク指標と前記第１の部分プレコーダ情報とを個別に符号化する、請求項１〜３のいずれか１項に記載の端末装置。
【請求項５】
前記通信部は、前記第２のフィードバックモードにおいて、前記第１の部分プレコーダ情報と前記第２の部分プレコーダ情報と前記受信品質指標とをまとめて符号化する、請求項１〜４のいずれか１項に記載の端末装置。
【請求項６】
基地局装置であって、
端末装置における受信品質に関する情報を、周期的に前記端末装置が報告する第１のフィードバックモードと、非周期的に前記端末装置が報告する第２のフィードバックモードとを、前記端末装置に設定することが可能であり、
前記第１のフィードバックモードおよび前記第２のフィードバックモードの各々において、前記受信品質に関する情報として、好適なランクを指定するランク指標と、好適なプレコーダを指定する第１の部分プレコーダ情報および第２の部分プレコーダ情報と、好適な伝送レートを指定する受信品質指標と、を前記端末装置から受信するにあたり、
前記第１のフィードバックモードを設定した場合、前記端末装置に対して、前記第２の部分プレコーダ情報と前記受信品質指標とを第１のサブフレームで報告するリソースと、前記ランク指標と前記第１の部分プレコーダ構報とを、前記第１のサブフレームとは異なる第２のサブフレームで報告するリソースとを割り当て、
前記第２のフィードバックモードを設定した場合、前記端末装置に対して、前記ランク指標と前記第１の部分プレコーダ情報と前記第２の部分プレコーダ情報と前記受信品質指標とを同時に報告するリソースを割り当てる、基地局装置。
【請求項７】
前記端末装置からの情報を抽出するための抽出部をさらに備え、前記抽出部は、
前記第１のフィードバックモードを設定した場合、第１のタイミングで前記第２の部分プレコーダ情報と前記受信品質指標を抽出し、第２のタイミングで前記ランク指標と前記第１の部分プレコーダ情報とを抽出し、
前記第２のフィードバックモードを設定した場合、前記ランク指標と前記第１の部分プレコーダ情報と前記第２の部分プレコーダ情報と前記受信品質指標とを同時に抽出する、請求項６に記載の基地局装置。
【請求項８】
前記第１のフィードバックモードと前記第２のフィードバックモードとで、復号化処理の単位を切り替える、請求項６に記載の基地局装置。
【請求項９】
基地局装置と、前記基地局装置と通信を行う端末装置とを含む通信システムであって、
前記基地局装置は、
前記端末装置における受信品質に関する情報を、周期的に前記端末装置が報告する第１のフィードバックモードと、非周期的に前記端末装置が報告する第２のフィードバックモードとを、前記端末装置に設定することが可能であり、
前記第１のフィードバックモードおよび前記第２のフィードバックモードの各々において、前記受信品質に関する情報として、好適なランクを指定するランク指標と、好適なプレコーダを指定する第１の部分プレコーダ情報および第２の部分プレコーダ情報と、好適な伝送レートを指定する受信品質指標と、を前記端末装置から受信するに当たり、
前記第１のフィードバックモードを設定した場合、前記端末装置に対して、前記第２の部分プレコーダ情報と前記受信品質指標とを第１のサブフレームで報告するリソースと、前記ランク指標と前記第１の部分プレコーダ構報とを、前記第１のサブフレームとは異なる第２のサブフレームで報告するリソースとを割り当て、
前記端末装置は、
前記第１のフィードバックモードにおいて、
前記第２の部分プレコーダ情報と前記受信品質指標とを第１のサブフレームで報告するとともに、前記ランク指標と前記第１の部分プレコーダ情報とを前記第１のサブフレームとは異なる第２のサブフレームで報告し、
前記第２のフィードバックモードにおいて、
前記ランク指標と前記第１の部分プレコーダ情報と前記第２の部分プレコーダ情報と前記受信品質指標とを同じサブフレームで報告する、通信システム。
【請求項１０】
端末装置における処理方法であって、
前記端末装置が受信品質に関する情報を、周期的に報告する第１のフィードバックモードと、非周期的に報告する第２のフィードバックモードとにより、基地局装置へ報告する際に、前記端末装置が、前記第１のフィードバックモードおよび前記第２のフィードバックモードの各々において、前記受信品質に関する情報として、好適なランクを指定するランク指標と、好適なプレコーダを指定する第１の部分プレコーダ情報および第２の部分プレコーダ情報と、好適な伝送レートを指定する受信品質指標と、を生成し、
前記好適なプレコーダは、前記第１の部分プレコーダ情報と前記第２の部分プレコーダ情報との組み合わせによって指定され、
前記第１のフィードバックモードにおいて、
前記第２の部分プレコーダ情報と前記受信品質指標とを第１のサブフレームで報告するとともに、前記ランク指標と前記第１の部分プレコーダ情報とを前記第１のサブフレームとは異なる第２のサブフレームで報告し、
前記第２のフィードバックモードにおいて、
前記ランク指標と前記第１の部分プレコーダ情報と前記第２の部分プレコーダ情報と前記受信品質指標とを同じサブフレームで報告する、処理方法。
【請求項１１】
基地局装置における処理方法であって、
端末装置における受信品質に関する情報を、周期的に前記端末装置が報告する第１のフィードバックモードと、非周期的に前記端末装置が報告する第２のフィードバックモードとを、前記基地局装置が前記端末装置に設定することが可能であり、
前記第１のフィードバックモードおよび前記第２のフィードバックモードの各々において、前記受信品質に関する情報として、好適なランクを指定するランク指標と、好適なプレコーダを指定する第１の部分プレコーダ情報および第２の部分プレコーダ情報と、好適な伝送レートを指定する受信品質指標と、を前記端末装置から受信するにあたり、
前記第１のフィードバックモードを設定した場合、前記端末装置に対して、前記第２の部分プレコーダ情報と前記受信品質指標とを第１のサブフレームで報告するリソースと、前記ランク指標と前記第１の部分プレコーダ構報とを、前記第１のサブフレームとは異なる第２のサブフレームで報告するリソースとを割り当て、
前記第２のフィードバックモードを設定した場合、前記端末装置に対して、前記ランク指標と前記第１の部分プレコーダ情報と前記第２の部分プレコーダ情報と前記受信品質指標とを同時に報告するリソースを割り当てる、処理方法。
【請求項１２】
端末装置であって、
受信品質に関する情報を、周期的に報告する第１のフィードバックモードと、非周期的に報告するフィードバックモードであって前記第１のフィードバックモードより大きな情報量を送信できる第２のフィードバックモードと、により報告することが可能であり、
前記第１のフィードバックモードおよび前記第２のフィードバックモードの各々において、前記受信品質に関する情報として、好適なランクを指定するランク指標と、好適なプレコーダを指定する第１の部分プレコーダ情報および第２の部分プレコーダ情報と、好適な伝送レートを指定する受信品質指標と、を生成するための生成部と、
基地局装置と通信を行うための通信部とを備え、
前記好適なプレコーダは、前記第１の部分プレコーダ情報と前記第２の部分プレコーダ情報との組み合わせによって指定され、
前記通信部は、
前記第１のフィードバックモードでは、前記第１の部分プレコーダ情報を前記ランク指標とともに符号化して送信し、
前記第２のフィードバックモードでは、前記第１の部分プレコーダ情報を前記第２の部分プレコーダ情報および前記受信品質指標とともに符号化して送信する、端末装置。
【請求項１３】
端末装置における処理方法であって、
前記端末装置が基地局装置に受信品質に関する情報を、周期的に報告する第１のフィードバックモードと、非周期的に報告するフィードバックモードであって前記第１のフィードバックモードより大きな情報量を送信できる第２のフィードバックモードと、により報告することが可能であり、
前記第１のフィードバックモードおよび前記第２のフィードバックモードの各々において、前記受信品質に関する情報として、好適なランクを指定するランク指標と、好適なプレコーダを指定する第１の部分プレコーダ情報および第２の部分プレコーダ情報と、好適な伝送レートを指定する受信品質指標と、を生成し、
前記好適なプレコーダは、前記第１の部分プレコーダ情報と前記第２の部分プレコーダ情報との組み合わせによって指定され、
前記第１のフィードバックモードでは、前記第１の部分プレコーダ情報を前記ランク指標と共に符号化して送信し、
前記第２のフィードバックモードでは、前記第１の部分プレコーダ情報を前記第２の部分プレコーダ情報および前記受信品質指標とともに符号化して送信する、処理方法。
【請求項１４】
基地局装置であって、
端末装置における受信品質に関する情報を、周期的に前記端末装置が報告する第１のフィードバックモードと、非周期的に前記端末装置が報告する第２のフィードバックモードとを、前記端末装置に設定することが可能であり、
前記第１のフィードバックモードおよび前記第２のフィードバックモードの各々において、前記受信品質に関する情報として、好適なランクを指定するランク指標と、好適なプレコーダを指定する第１の部分プレコーダ情報および第２の部分プレコーダ情報と、好適な伝送レートを指定する受信品質指標と、を前記端末装置から受信するにあたり、
前記第１のフィードバックモードでは、前記第１の部分プレコーダ情報を前記ランク指標とともに符号化して送信するリソースを割り当て、
前記第２のフィードバックモードでは、前記第１の部分プレコーダ情報を前記第２の部分プレコーダ情報および前記受信品質指標とともに符号化して送信するリソースを割り当てる、基地局装置。
【請求項１５】
基地局装置における処理方法であって、
端末装置における受信品質に関する情報を、周期的に前記端末装置が報告する第１のフィードバックモードと、非周期的に前記端末装置が報告する第２のフィードバックモードとを、前記基地局装置が前記端末装置に設定することが可能であり、
前記第１のフィードバックモードおよび前記第２のフィードバックモードの各々において、前記受信品質に関する情報として、好適なランクを指定するランク指標と、好適なプレコーダを指定する第１の部分プレコーダ情報および第２の部分プレコーダ情報と、好適な伝送レートを指定する受信品質指標と、を前記基地局装置が前記端末装置から受信するにあたり、前記基地局装置は、
前記第１のフィードバックモードでは、前記第１の部分プレコーダ情報を前記ランク指標と共に符号化して送信するリソースを割り当て、
前記第２のフィードバックモードでは、前記第１の部分プレコーダ情報は前記第２の部分プレコーダ情報および前記受信品質指標とともに符号化して送信するリソースを割り当てる、処理方法。
【手続補正２】
【補正対象書類名】明細書
【補正対象項目名】発明の名称
【補正方法】変更
【補正の内容】
【発明の名称】端末装置、基地局装置、通信システム、および処理方法